【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるよりも前に、複数種類の入賞表示結果の導出を許容するか否かを決定する事前決定手段と、
前記事前決定手段の決定結果に応じて前記可変表示装置に表示結果を導出させる手段であって、前記事前決定手段により所定の不利決定が行われていることを条件として所定の不利表示結果を導出させる導出制御手段と、
遊技者にとって不利な不利状態に移行可能な初期遊技状態に制御されているときにおいて前記不利表示結果が導出されたときに、前記不利状態に遊技状態を制御する不利状態制御手段とを備え、
前記事前決定手段は、前記不利決定を行うときに遊技者にとって有利な特別遊技状態への移行を伴う特別表示結果の導出を許容する旨も同時に決定する不利特別同時決定手段と、前記特別表示結果の導出を許容する旨を決定することなく前記不利決定を行う不利単独決定手段とを含み、
前記スロットマシンは、
前記不利単独決定手段の決定に基づいて前記不利表示結果が導出されたときに、該不利表示結果が導出されたゲームで前記不利状態に制御される旨が特定可能となる不利報知を行う不利報知手段と、
前記不利特別同時決定手段の決定に基づいて前記不利表示結果が導出されたときに、該不利表示結果が導出されたゲームで前記特別表示結果の導出を許容する旨が決定されている旨を報知することなく前記不利報知手段による不利報知と同様の報知を行い、該不利表示結果が導出されたゲームよりも後のゲームで前記特別表示結果の導出を許容する旨が決定されている旨を報知する特別報知手段とをさらに備える
ことを特徴とするスロットマシン。
【手続補正２】
【補正対象書類名】明細書
【補正対象項目名】０００１
【補正方法】変更
【補正の内容】
【０００１】
本発明は、スロットマシンに関し、特に初期遊技状態において所定の不利表示結果が導出されることにより不利状態に制御するスロットマシンに関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、遊技の興趣を高めることのできるスロットマシンを提供することを目的とする。
【手続補正６】
【補正対象書類名】明細書
【補正対象項目名】０００９
【補正方法】変更
【補正の内容】
【０００９】
上記目的を達成するため、本発明にかかるスロットマシンは、
１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
ゲーム毎に前記可変表示装置の表示結果が導出されるよりも前に、複数種類の入賞表示結果の導出を許容するか否かを決定する事前決定手段（ＣＰＵ１１１：図９（ｂ））と、
前記事前決定手段の決定結果に応じて前記可変表示装置に表示結果を導出させる手段であって、前記事前決定手段により所定の不利決定（リプレイＡ当選）が行われていることを条件として所定の不利表示結果（リプレイＡ）を導出させる導出制御手段（ＣＰＵ１１１）と、
遊技者にとって不利な不利状態（不利ＲＴ）にも移行可能な初期遊技状態（通常遊技状態、特別ＲＴ、レアＲＴ１、レアＲＴ２）に制御されているときにおいて前記不利表示結果が導出されたときに、予め定められた不利規定ゲーム数（３００ゲーム）を消化するまで、前記不利状態に遊技状態を制御する不利状態制御手段（図１０：通常遊技状態、レアＲＴでリプレイＡに入賞すると、不利ＲＴに制御される）とを備え、
前記事前決定手段は、前記不利決定を行うときに遊技者にとって有利な特別遊技状態への移行を伴う特別表示結果の導出を許容する旨も同時に決定する不利特別同時決定手段と、前記特別表示結果の導出を許容する旨を決定することなく前記不利決定を行う不利単独決定手段とを含み、
前記スロットマシンは、
前記不利単独決定手段の決定に基づいて前記不利表示結果が導出されたときに、該不利表示結果が導出されたゲームで前記不利状態に制御される旨が特定可能となる不利報知を行う不利報知手段と、
前記不利特別同時決定手段の決定に基づいて前記不利表示結果が導出されたときに、該不利表示結果が導出されたゲームで前記特別表示結果の導出を許容する旨が決定されている旨を報知することなく前記不利報知手段による不利報知と同様の報知を行い、該不利表示結果が導出されたゲームよりも後のゲームで前記特別表示結果の導出を許容する旨が決定されている旨を報知する特別報知手段とをさらに備える
ことを特徴とする。
【手続補正７】
【補正対象書類名】明細書
【補正対象項目名】００１０
【補正方法】変更
【補正の内容】
【００１０】
上記スロットマシンにおいて、
前記導出制御手段は、前記事前決定手段により所定の有利決定（スイカ当選、チェリー当選）が行われていることを条件として所定の有利表示結果（スイカ、チェリー）を導出させるものであってもよい。この場合において、上記スロットマシンは、
前記初期遊技状態（通常遊技状態、特別ＲＴ、レアＲＴ１、レアＲＴ２）に制御されているときにおいて前記有利表示結果が導出されたときに、遊技者にとって有利な有利状態（有利ＲＴ）に遊技状態を制御する有利状態制御手段（図１０：通常遊技状態、特別ＲＴ、レアＲＴ１、レアＲＴ２でスイカ、チェリーに入賞すると、有利ＲＴに制御される）をさらに備えるものとすることができる。
【手続補正８】
【補正対象書類名】明細書
【補正対象項目名】００１１
【補正方法】変更
【補正の内容】
【００１１】
上記スロットマシンにおいて、
前記導出制御手段は、前記事前決定手段により所定の特定決定（リプレイＢ当選、リプレイＣ当選）が行われていることを条件として前記不利表示結果とは異なる所定の特定表示結果（リプレイＢ、リプレイＣ）を導出させるものであってもよい。この場合において、上記スロットマシンは、
前記不利状態に制御されているときにおいて前記特定表示結果が導出されたときに、該不利状態を終了させて、該特定表示結果が導出された後の消化ゲーム数に関わらずに前記有利表示結果または前記不利表示結果が導出されるまで、前記初期遊技状態に遊技状態を制御する特定初期遊技状態制御手段（図１０：不利ＲＴにおいてリプレイＢに入賞するとレアＲＴ１に制御され、リプレイＣに入賞するとレアＲＴ２に制御される。レアＲＴ１、レアＲＴ２には、ゲーム数の制限はない）をさらに備えるものとすることができる。
【手続補正９】
【補正対象書類名】明細書
【補正対象項目名】００１５
【補正方法】変更
【補正の内容】
【００１５】
上記スロットマシンにおいて、
前記事前決定手段が、前記特定決定を行うものであり、
さらに、前記特定初期遊技状態制御手段を備えるものである場合には、
前記事前決定手段は、前記特定決定を行うときに前記特別表示結果（ビッグボーナス（Ａ）〜（Ｃ））の導出を許容する旨も同時に決定する特定特別同時決定手段（図９（ｂ）：ビッグボーナス（Ａ）＋リプレイＢ、ビッグボーナス（Ｂ）＋リプレイＢ、ビッグボーナス（Ｃ）＋リプレイＢ、レギュラーボーナス＋リプレイＢ）と、前記特定決定を単独で行う特定単独決定手段（図９（ｂ）リプレイＢ）とを含むものとすることができる。
【手続補正１０】
【補正対象書類名】明細書
【補正対象項目名】００１７
【補正方法】変更
【補正の内容】
【００１７】
なお、前記特定特別同時決定手段により前記特別表示結果の導出を許容する旨を決定するのと同時に前記特定決定が行われたときには、該特定決定に基づいて前記特定表示結果が導出されても、前記初期遊技状態に遊技状態を制御させないものとすることができる。また、前記特別表示結果の導出を許容する旨が決定されたときに、前記初期遊技状態とは異なる特定遊技状態（内部中ＲＴ）に制御するものとする場合、前記特定特別同時決定手段により前記特別表示結果の導出を許容する旨を決定するのと同時に前記特定決定が行われ、該特定決定に基づいて前記特定表示結果が導出されても、前記特別表示結果の導出を許容する旨の決定に基づいて制御された特定遊技状態からは初期遊技状態に制御させないものとすることができる。
【手続補正１１】
【補正対象書類名】明細書
【補正対象項目名】００１８
【補正方法】変更
【補正の内容】
【００１８】
上記スロットマシンにおいて、
前記事前決定手段が、前記有利決定及び前記特定決定を行うものであり、
さらに、前記有利状態制御手段と前記特定初期遊技状態制御手段とを備えるものである場合には、
前記事前決定手段は、前記特定決定を行うときに前記特別表示結果の導出を許容する旨も同時に決定する特定特別同時決定手段（図９（ｂ）：ビッグボーナス（Ａ）＋リプレイＢ、ビッグボーナス（Ｂ）＋リプレイＢ、ビッグボーナス（Ｃ）＋リプレイＢ、レギュラーボーナス＋リプレイＢ）を含み、前記有利状態に制御されているときにおいて、前記特定特別同時決定手段により前記特別表示結果の導出を許容する旨を決定するのと同時に前記特定決定を行うとき以外は、該特定決定を行わないものであってもよい（図９（ｂ）：有利ＲＴではリプレイＢ、リプレイＣに単独当選しない）。
【手続補正１２】
【補正対象書類名】明細書
【補正対象項目名】００２０
【補正方法】変更
【補正の内容】
【００２０】
上記スロットマシンにおいて、
前記事前決定手段が、前記特定決定を行うものであり、
さらに、前記特定初期遊技状態制御手段を備えるものである場合には、
上記スロットマシンは、
前記特別表示結果が導出されたときに、前記特別遊技状態（ビッグボーナス）に遊技状態を制御する特別遊技状態制御手段（図１０：ビッグボーナス（Ａ）〜（Ｃ）に入賞すると、ビッグボーナスに制御される）と、
前記特別遊技状態において予め定められた特別終了条件が成立したときに、該特別遊技状態を終了させて、前記初期遊技状態のうちの特別初期遊技状態（特別ＲＴ）に遊技状態を制御する特別初期遊技状態制御手段（図１０：ビッグボーナスの終了後は、特別ＲＴに制御される）とをさらに備えていてもよい。この場合において、
前記特定初期遊技状態制御手段は、前記初期遊技状態のうちの前記特別初期遊技状態とは異なる特定初期遊技状態（レアＲＴ１、レアＲＴ２）に遊技状態を制御し（図１０：特別ＲＴにはビッグボーナスの終了後以外には制御されない）、
前記事前決定手段は、前記特定初期遊技状態に制御されているときには、前記特別初期遊技状態に制御されているときとは異なる確率で前記不利決定（および／または前記有利決定（前記事前決定手段が、さらに前記有利決定を行うものであり、さらに、前記有利状態制御手段を備えるものである場合））を行うものとすることができる（図９（ｂ）：通常遊技状態、レアＲＴ１、レアＲＴ２ではリプレイＡに当選するのに対して、特別ＲＴではリプレイＡに当選しない）。
【手続補正１３】
【補正対象書類名】明細書
【補正対象項目名】００２１
【補正方法】変更
【補正の内容】
【００２１】
この場合には、初期遊技状態であっても、特別遊技状態の終了後に制御された特別初期遊技状態と不利状態における特定表示結果の導出により制御された特定初期遊技状態とでは不利決定（および／または有利決定）が行われる確率が異なるものとなるので、不利状態における特定表示結果の導出で制御された特定初期遊技状態における遊技の面白みが増し、さらに遊技の興趣を向上させることができる。
【手続補正１４】
【補正対象書類名】明細書
【補正対象項目名】００２２
【補正方法】変更
【補正の内容】
【００２２】
上記スロットマシンにおいて、
前記事前決定手段が、前記特定決定を行うものであり、
さらに、前記特定初期遊技状態制御手段を備えるものである場合には、
前記特定表示結果は、第１の特定表示結果（リプレイＢ）と該第１の特定表示結果とは異なる第２の特定表示結果（リプレイＣ）とを含んでいてもよい。この場合において、
前記特定初期遊技状態制御手段は、前記第１の特定表示結果が導出されたときに前記初期遊技状態のうちの第１の初期遊技状態（レアＲＴ１）に遊技状態を制御するとともに、前記第２の特定表示結果が導出されたときに前記初期遊技状態のうちの前記第１の初期遊技状態とは異なる第２の初期遊技状態（レアＲＴ２）に遊技状態を制御するものとすることができ、
前記事前決定手段は、前記第１の初期遊技状態に制御されているときには、前記第２の初期遊技状態に制御されているときとは異なる確率で前記不利決定（および／または前記有利決定（前記事前決定手段が、さらに前記有利決定を行うものであり、さらに、前記有利状態制御手段を備えるものである場合））を行うものとすることができる（図９（ｂ）：レアＲＴ１におけるリプレイＡの判定値数は８９１７、レアＲＴ２におけるリプレイＡの判定値数は１９８２）。
【手続補正１５】
【補正対象書類名】明細書
【補正対象項目名】０３５０
【補正方法】変更
【補正の内容】
【０３５０】
また、通常遊技状態、レアＲＴ１またはレアＲＴ２においてリプレイＡに入賞し、不利ＲＴに制御されることとなる場合には、上記の実施の形態におけるスイカまたはチェリーの入賞で有利ＲＴに制御される旨を報知するのと同様に、不利ＲＴに制御される旨を報知してもよい。ここで、ビッグボーナス（Ａ）〜（Ｃ）またはレギュラーボーナスとリプレイＡに同時当選したときのゲームでは、当該ゲームでリプレイＡに入賞したときに不利ＲＴに制御される旨を報知するものとし、ビッグボーナス（Ａ）〜（Ｃ）またはレギュラーボーナスの当選報知を行わないものとすることができる。